(57)【要約】【課題】磁力を微調整できるリニアダンパー装置を提供する。【解決手段】リニアユニットの磁石及び負荷回転ホイールの間の隙間が微調整され、また、同時に連動する構造を持つ。磁石の引っ張る力が平均に分配及び分断される。さらに、従来のリニアダンパーが使用するリニアコントロール盤及びスプリングを持たず構造がシンプルである。【選択図】図１
0003127851.tif 000002
【実用新案登録請求の範囲】
【請求項１】
土台、負荷回転ホイール、二組のリニアユニット及び磁力調整装置を備え、そのうち、二組のリニアユニットは、二枚が互いに接続軸で互いに軸接続するアーチ型板を備え、アーチ型板には数個の磁石があり、アーチ型板の、接続軸の一端に対応する部分は移動可能な先端部分で、前述の磁力調整装置は、回転軸、回転片及び二本の調整可能クランクを備え、回転軸と回転片は固定接続され、二本の調整可能クランクの外側は、二枚のアーチ型板の移動可能な先端部分で軸接続し、二本の調整可能クランクの内側は回転片に軸接続して、対応する方向で同じ距離に位置し、回転軸が回転することにより、回転片も動かされて回転し、さらに、調整可能クランクの連動によって、二組のリニアユニットの二枚の回転片及び磁石と負荷回転ホイールの間の隙間が変化することで、負荷回転ホイールを調整して受ける磁力の大きさ調整することを特徴とする、リニアダンパー装置。
【請求項２】
回転軸がモーターに連結している、請求項１に記載のリニアダンパー装置。
【請求項３】
回転軸が回転ホイールに連結していて、前述の回転ホイールの外部にワイヤがはまっていて、回転調整つまみによってワイヤをコントロールし、回転ホイール、回転軸及び回転片を段階的に分段して回転させることを特徴とする、請求項１に記載のリニアダンパー装置。
【請求項４】
磁力調整装置の二本の調整可能クランクがそれぞれ二本の連結クランク、ダブルヘッドナットを備え、前述の二本の連結クランクの螺旋模様の部分が互いに異なる螺旋方向を持ち、前述のダブルヘッドナットもまた二本の連結クランクの螺旋模様の部分の螺旋方向に対応する内側の螺旋模様部分を持つことで、ダブルヘッドナットが回転する時、二本の連結クランクが同時に移動し、調整可能クランクの長さを変化させるという特徴を持つ、請求項１に記載のリニアダンパー装置。
【考案の詳細な説明】
【技術分野】
【０００１】
本考案はエクササイズマシン（例：ローイングマシン、ランニングマシン、ウェイトリフティングマシン等）のリニアダンパー装置に関し、特に、同時連動してそのリニアダンパーの磁力の大きさを調整及び微調整が行える構造で、メンテナンスしやすく、磁力の大きさを精確にコントロールすることが可能である。
【背景技術】
【０００２】
従来のエクササイズマシンのリニアダンパーは、回転ホイール内部に二組の独立したリニアユニット及びリニアコントロール盤を備え、前述リニアユニットはアーチ型板、磁石及びスプリングを備える。スプリングの一端はアーチ型板に接続し、もう一方の端はリニアコントロール盤に接続している。外部の回転調節つまみによって締められると、ワイヤが引っ張られて、アーチ型板及び磁石が負荷回転ホイールに近づいて、磁力が増す。あるいは、回転調整つまみを緩めると、アーチ型板及び磁石はスプリングによって元に戻されて負荷回転ホイールから遠ざかり、磁力が弱くなる。
【考案の開示】
【考案が解決しようとする課題】
【０００３】
上述の従来のリニアダンパー装置は、構造上リニアコントロール盤及びスプリング以外に、それ自身微調整のための構造を備えていない。したがって、リニアユニットの磁石及び負荷回転ホイールの間の隙間を決まった距離に設定するのが難しいため、製品としての質が不安定で、メンテナンス調整もまた困難である。
【課題を解決するための手段】
【０００４】
本考案は、磁力を微調整できるリニアダンパー装置を提供することにある。リニアユニットの磁石及び負荷回転ホイールの間の隙間が微調整されて精確な決まった距離に設定できることで、生産製造しやすく、メンテナンス及びテストがしやすいという特徴がある。
本考案のもう一つの目的は、同時に連動する構造を持つリニアダンパーを提供することにある。磁石の引っ張る力が平均に分配及び分断されて、磁力が精確にコントロールできるという特長を持つ。
さらに、本考案のリニアダンパー装置は、従来のリニアダンパーが使用するリニアコントロール盤及びスプリングを持たず、構造がシンプルであるという特徴を持つ。
【考案の効果】
【０００５】
本考案は、調整可能クランク４３の長さを調整することで、磁石の制動力の大きさを調整して、製品の微調整に役立ち、製品を生産する際に品質が安定し、メンテナンス及びテストが行ないやすいという効果がある。
【考案を実施するための最良の形態】
【０００６】
図１から図４を参照いただきたい。本考案のリニアダンパー装置は、土台１、負荷回転ホイール２、二組のリニアユニット３及び磁力調整装置４を備える。
上述の土台１は、エクササイズマシンに取り付けられて、負荷回転ホイール２と同軸でホイール２１に固定され、エクササイズマシンが人の力によって動かされた時、ベルトによってホイール２１に連結され、負荷回転ホイール２が動かされて回転するときの磁力を利用して、エクササイズ時に必要な制動力を発生させる。
【０００７】
上述の二組のリニアユニット３は、二枚のアーチ型板３１及びアーチ型板３１にある磁石３２を備える。二枚のアーチ型板３１は、それぞれ一端が互いに一点において同心で軸接続されている。図１から図４に示した、二枚のアーチ型板３１は、軸接続部分３１１において、接続軸３３によって互いに軸接続される。さらに、土台１に連結されて、二枚のアーチ型板３１は接続軸３３を軸心とし、角度を移動することで、アーチ型板３１の磁石３２及び負荷回転ホイール２の間の隙間を調整して固定する。二枚のアーチ型板３１の、上述の軸接続部分３１１のもう一方の端は移動可能な先端部分３１２である。
【０００８】
図１から図４を参照いただきたい。上述の磁力調整装置４は、回転軸４１、回転片４２及び二本の調整可能クランク４３を備える。そのうち、回転片４２は回転軸４１に固定され（図３を参照いただきたい）、回転軸４１を軸心として回転する。二本の調整可能クランク４３は、それぞれその外側の端が二枚のアーチ型板３１の移動可能な先端部分３１２で軸接続される。そして、調整可能クランク４３の内側は、回転片４２に対応する方向に同じ距離の位置で軸接続される。このため、回転軸４１が回転片４２を動かし回転する時、二本の調整可能クランク４３は分段的に同時に移動する。
【０００９】
図５を参照いただきたい。回転片４２が回転して、二本の調整可能クランク４３を引っ張る時、二本の調整可能クランク４３は、二枚のアーチ型板３１の移動可能な先端部分３１２を引っ張って、二枚のアーチ型板３１が接続軸３３を軸心として角度を移動する方法で位置を変え、さらに、二枚のアーチ型板３１に固定されている数個の磁石３２と負荷回転ホイール２の間の隙間を大きくする。つまり、負荷回転ホイール２が回転する時に受ける磁力が小さくなるのである。
【００１０】
図６を参照いただきたい。回転片４２がもう一方の方向に回転し、調整可能クランク４３を動かした時、二本の調整可能クランク４３が二枚のアーチ型板３１の移動可能な先端部分３１２を動かして、二枚のアーチ型板３１に固定されている数個の磁石３２と負荷回転ホイール２の間の隙間を小さくする。つまり、負荷回転ホイール２が回転する時に受ける磁力が大きくなるのである。さらに、上述の回転片４２が調整可能クランク４３の方向を動かして回転させる時、実際にはアーチ型板３１の磁石３２と負荷回転ホイールの間の磁力が互いに引き合う作用によって、二枚のアーチ型板３１の移動可能な先端部分３１２が調整可能クランク４３に対して引っ張る力が生じる。
【００１１】
図１から図６を参照いただきたい。上述の回転軸４１及び回転片４２は、分段的に異なる方向に回転する。図に示す実施例では、回転軸４１は、モーター５に接続されている。そして、モーター５は土台１の上に固定されていて、段階式に角度を変える。モーター５が段階式に分段されて回転することで、リニアユニット３の磁石３２と負荷回転ホイール２の間の隙間が、分段式に磁石の制動力を調整することが可能である。
【００１２】
図７及び図８を参照いただきたい。図に示す実施例は、回転軸４１が回転ホイール６に接続していて、ワイヤ６１によって前述回転ホイール６の外部に、はめ込んであることで、回転調整つまみ７が締められてワイヤ６１を引っ張ると、回転ホイール６が動かされて回転する。逆に、回転調整つまみ７が緩められると、磁石３２と負荷回転ホイール２の間の磁力が互いに引き合い、二枚のアーチ型板３１の移動可能な先端部分３１２が調整可能クランク４３に対して引っ張る力を生じさせる。そして、回転片４２、回転軸４１及び回転ホイール６が共に回転する。上述の回転調整つまみ７は従来のものと同様に、分段式に回転して調整する機能を持つ。故に、細かく分段する方式で磁石の制動力を調整することが可能である。
【００１３】
図９を参照いただきたい。本考案の二本の調整可能クランク４３は、その長さを調節して変更することが可能である。図に示す例では、調整可能クランク４３がそれぞれ二本の連結クランク４３１、４３２及びダブルヘッドナット４３３を備える。前述の二本の連結クランク４３１、４３２の螺旋模様の部分４３１１、４３２１は互いに異なる方向である。そして、前述のダブルヘッドナット４３３はまた、螺旋模様の部分４３１１、４３２１の螺旋方向に対応する内側の螺旋模様部分４３３１、４３３２を備える。したがって、ダブルヘッドナット４３３を回転させると、二本の連結クランク４３１、４３２が同時に内側に移動あるいは外側に移動することにより、調整可能クランク４３の長さが縮小あるいは延長する。
【００１４】
図４から図９を参照いただきたい。上述の調整可能クランク４３の長さは縮小あるいは延長が可能であることで、二組のリニアユニット３の磁石３２と負荷回転ホイール２の間の隙間を変更させることができる。そして、その磁力を調整することが可能である。例えば、調整可能クランク４３の長さを調整して回転させて縮小させると、調整可能クランク４３がアーチ型板３１の移動可能な先端部分３１２を引っ張って移動させ、磁石３２と負荷回転ホイール２の間の隙間が大きくなり、負荷回転ホイール２が受ける磁石の制動力が小さくなる。逆に、調整可能クランク４３の長さが回転して延長すると、磁石３２と負荷回転ホイール２の間の隙間が小さくなり、負荷回転ホイール２が受ける磁石の制動力が大きくなる。
【００１５】
したがって、本考案は、調整可能クランク４３の長さを調整することで、磁石の制動力の大きさを調整して、製品の微調整に役立ち、製品を生産する際に品質が安定し、メンテナンス及びテストが行ないやすいという効果がある。
さらに、図５及び図６を参照いただきたい。本考案の二組のリニアユニット３の二枚のアーチ型板３１は、同一の接続軸３３が一点で同心の軸接続されている。また、二組のリニアユニット３が同時に連動して調整することで、磁力が平均的に分配及び分段されて、精確に磁石の制動力の大きさをコントロールする目的を果す。
【図面の簡単な説明】
【００１６】
【図１】本考案の立体組立構造図である。
【図２】本考案の立体分解構造図である。
【図３】本考案のリニアユニット及び磁力調整装置を示した立体分解構造図である。
【図４】本考案の部分の平面断面図である。
【図５】本考案の磁力調整装置が二組のリニアユニットに対して磁力を調整する状態を示した平面動作図である。
【図６】本考案の磁力調整装置が二組のリニアユニットに対して図５と反対方向に磁力を調整する状態を示した平面動作図である。
【図７】本考案の磁力調整装置のもう一つの実施例の部分立体図である。
【図８】本考案が図６の磁力調整装置を使用した実施例の平面図である。
【図９】本考案の磁力調整装置がクランクの部分を調整することができる様子を示した立体断面分解図である。
【符号の説明】
【００１７】
１          土台
２          負荷回転ホイール
２１        ホイール
３          リニアユニット
３１        アーチ型板
３１１      軸接続部分
３１２      移動可能な先端部分
３２        磁石
３３        接続軸
４          磁力調整装置
４１        回転軸
４２        回転片
４３        調整可能クランク
４３１、４３２        連結クランク
４３１１、４３２１        螺旋模様の部分
４３３      ダブルヘッドナット
４３３１、４３３２        内側の螺旋模様部分
５          モーター
６          回転ホイール
６１        ワイヤ
７          回転調整つまみ
【図１】
0003127851.tif 000003
【図２】
0003127851.tif 000004
【図３】
0003127851.tif 000005
【図４】
0003127851.tif 000006
【図５】
0003127851.tif 000007
【図６】
0003127851.tif 000008
【図７】
0003127851.tif 000009
【図８】
0003127851.tif 000010
【図９】
0003127851.tif 000011